(57)【要約】【課題】密封性に優れ、高い水素保持性を有する水素水等の水素を含有する内容物を収容するための容器を提供する。【解決手段】本発明は、水素を含有する内容物を収容するための容器１０であって、内容物の出入り口となる口部１１を有する容器本体１と、口部１１を封止するよう口部１１の端縁部に冠着されるインナーキャップ２と、インナーキャップ２が冠着された口部１１に螺合するアウターキャップ３とを備える。【選択図】図２
2020117304.tif 000002
【特許請求の範囲】
【請求項１】
水素を含有する内容物を収容する容器であって、
前記内容物の出入り口となる口部を有する容器本体と、
前記口部を封止するよう前記口部の端縁部に冠着されるインナーキャップと、
前記インナーキャップが冠着された前記口部に螺合するアウターキャップと、を備える容器。
【請求項２】
前記インナーキャップが前記口部の端縁部に貼り付けられるアルミ箔である、請求項１に記載の容器。
【請求項３】
前記アウターキャップが前記口部の端縁部に嵌合するライナー材を備える、請求項１又は請求項２に記載に容器。
【請求項４】
前記ライナー材が前記口部の端縁部が嵌合する嵌合溝を有する、請求項３に記載の容器。
【請求項５】
前記嵌合溝の外周壁の方が内周壁よりも高く形成されている、請求項４に記載の容器。
【請求項６】
水素を含有する内容物を収容する容器の水素保持性向上方法であって、
容器本体に設けられた前記内容物の出入り口となる口部を封止するように、前記口部の端縁部にインナーキャップを冠着する工程と、
前記インナーキャップが冠着された前記口部にアウターキャップを螺合させる工程とを備える、容器の水素保持性向上方法。
【発明の詳細な説明】
【技術分野】
【０００１】
本発明は容器に関し、より詳細には、水素を含有する内容物を収容するための容器に関する。
【背景技術】
【０００２】
近年、水素ガスを含有する飲料水、いわゆる水素水の需要が高まっており、水素水をボトル缶やアルミパウチ等に充填した容器詰めの水素水製品が各社から提供されている。一般的に、水素水とは、水素分子（水素ガス）を１ｐｐｍ以上溶解させた水をいうが、分子状水素医学研究会では、０．２ｐｐｍ（２００ｐｐｂ）以上の水素を含んでいるものを水素水として定義している。 
【０００３】
上述のような水素水を収容する容器としては、金属製、特にアルミ製の容器が好適に用いられている。アルミ素材は、プラスチック素材に比べて水素保持性が高く、容器壁面からの水素ガスの透過を極めて少なくすることができる。 
【０００４】
水素水を収容するのに用いられるアルミ製の容器は高い水素保持性を発揮するものであるが、賞味期限を超えるような長期保存や、高温・高圧などの過酷な環境下では、十分な水素保持性を維持することが難しい場合がある。そして、主に容器本体とその口部を封止するキャップとにより構成されている容器の構造上、容器本体に対するキャップの密封度合が、内容物である水素水の水素保持性に大きく影響するため、閉栓時の容器本体に対するキャップの密封性の担保が重要になってきている。実際に、容器本体の口部とキャップとのわずかな隙間から水素が漏れやすいことがわかってきている。
【０００５】
また、アルミ製の容器本体の口部とキャップとの隙間を小さくするために、キャップの天板部内側周辺に接着されるライナー材を薄くする方法がある。しかしながら、ライナー材を薄くすると、キャップと容器本体との緩衝性が低下するため、衝撃に弱くなるという問題があり、さらに、開封性が低下するため、キャップを開けにくくなるという問題もある。
【発明の概要】
【発明が解決しようとする課題】
【０００６】
本発明は上述のような事情に基づいてなされたものであり、密封性に優れ、高い水素保持性を有する水素水等の水素を含有する内容物を収容するための容器の提供を目的とする。
【課題を解決するための手段】
【０００７】
上記課題を解決するために、第一に本発明は、水素を含有する内容物を収容する容器であって、前記内容物の出入り口となる口部を有する容器本体と、前記口部を封止するよう前記口部の端縁部に冠着されるインナーキャップと、前記インナーキャップが冠着された前記口部に螺合するアウターキャップと、を備える容器を提供する（発明１）。
【０００８】
かかる発明（発明１）によれば、容器本体の口部をインナーキャップで封止し、インナーキャップが冠着された口部をさらにアウターキャップでも螺合により封止しているので、容器本体の口部から水素が放出するのを抑制することができる。 
【０００９】
上記発明（発明１）においては、前記インナーキャップが前記口部の端縁部に貼り付けられるアルミ箔であることが好ましい（発明２）。
【００１０】
かかる発明（発明２）によれば、インナーキャップが、プラスチック素材に比べて水素保持性が高いアルミ箔であることにより、容器本体の口部から水素が放出するのをより一層抑制することができる。
【００１１】
上記発明（発明１，２）においては、前記アウターキャップが前記口部の端縁部に嵌合するライナー材を備えることが好ましい（発明３）。 
【００１２】
ここで、本発明における「ライナー材」とは、容器本体の口部の端縁部に嵌合させるべく、アウターキャップの天板部内側周辺に施される柔軟性を有する部材を意味する。
【００１３】
かかる発明（発明３）によれば、アウターキャップの天板部内側周辺に施されたライナー材が容器本体の口部の端縁部に嵌合するので、容器本体に対するアウターキャップの密封性が担保され、高い水素保持性を実現することができる。 
【００１４】
上記発明（発明３）においては、前記ライナー材が前記口部の端縁部が嵌合する嵌合溝を有することが好ましい（発明４）。 
【００１５】
かかる発明（発明４）によれば、ライナー材が容器本体の口部の端縁部が嵌合する嵌合溝を有することにより、容器本体に対するアウターキャップの密封性がより向上する。
【００１６】
上記発明（発明４）においては、前記嵌合溝の外周壁の方が内周壁よりも高く形成されていることが好ましい（発明５）。
【００１７】
かかる発明（発明５）によれば、ライナー材の有する嵌合溝の外側壁の方が内側壁より高く形成されていることより、容器本体に対するアウターキャップの密封性がさらに向上する。また、インナーキャップとしてのアルミ箔が冠着された口部をさらにアウターキャップでも封止する場合には、容器本体の口部の端縁部に沿って冠着されたアルミ箔が、ライナー材の外側壁によって口部の端縁部の径方向内側に押し付けられるので、容器本体に対するアルミ箔の密封性もさらに向上する。
【００１８】
第二に本発明は、水素を含有する内容物を収容する容器の水素保持性向上方法であって、容器本体に設けられた前記内容物の出入り口となる口部を封止するように、前記口部の端縁部にインナーキャップを冠着する工程と、前記インナーキャップが冠着された前記口部にアウターキャップを螺合させる工程とを備える、容器の水素保持性向上方法を提供する（発明６）。
【００１９】
かかる発明（発明６）によれば、容器本体の口部をインナーキャップで封止し、インナーキャップが冠着された口部をさらにアウターキャップでも螺合により封止しているので、容器本体の口部から水素が放出するのを抑制することができ、容器の水素保持性が向上する。
【発明の効果】
【００２０】
本発明の容器によれば、容器本体の口部をインナーキャップで封止し、インナーキャップが冠着された口部をさらにアウターキャップでも螺合により封止しているので、容器本体の口部から水素が放出するのを抑制することができる。
【図面の簡単な説明】
【００２１】
【図１】本発明の一実施形態に係る容器を示す模式図であって、（ａ）は容器全体の側面図、（ｂ）はライナー材が施された状態のアウターキャップの底面図、（ｃ）はインナーキャップの底面図である。
【図２】図１のＡ−Ａ線矢視部分拡大断面図である。
【発明を実施するための形態】
【００２２】
以下、本発明の容器の実施の形態について、適宜図面を参照して説明する。以下に説明する実施形態は、本発明の理解を容易にするためのものであって、何ら本発明を限定するものではない。 
【００２３】
〔容器〕
図１は本発明の一実施形態に係る容器１０を示す模式図であって、図２は図１のＡ−Ａ線矢視部分拡大断面図である。容器１０は、水素を含有する内容物を収容するための容器であって、口部１１を有する容器本体１と、口部１１を封止するよう口部１１の端縁部に冠着されるインナーキャップ２と、インナーキャップ２が冠着された口部１１に螺合するアウターキャップ３とを備える。
【００２４】
本実施形態において、インナーキャップ２は、図２に示すように、口部１１の端縁部に貼り付けられるアルミ箔２１である。また。本実施形態において、アウターキャップ３は、口部１１の端縁部に嵌合するライナー材４を備える。 
【００２５】
［容器本体］
容器本体１は、水素水等の水素を含有する内容物を収容するものである。内容物は液体状に限られるものではなく、例えば、水素を含有するゼリー食品等であってもよい。容器本体１は、内容物の出入り口となる口部１１を有し、口部１１にはあらかじめ螺合溝１１１が形成されている。容器本体１は、内容物を収容することができればその形状は特に制限されず、例えばボトル状やパウチ状等であってよい。また、口部１１は、本実施形態のように容器本体１の一部が口部１１として形成されていてもよいし、別部材を容器本体１に取り付けて口部１１としてもよい。容器本体１の素材としては、例えばポリオレフィン樹脂又はポリスチレン樹脂等の樹脂や、アルミニウム又はアルミニウム合金等の金属が使用できるが、水素保持性が高いことから、アルミ素材又は一部にアルミを含む素材であることが好ましい。
【００２６】
［インナーキャップ］
本実施形態において、インナーキャップ２は、図２に示すように、容器本体１の口部１１を封止するよう口部１１の端縁部に貼り付けられるアルミ箔２１である。アルミ素材は、プラスチック素材に比べて水素保持性が高いため、インナーキャップ２がアルミ箔２１であることにより、容器本体１の口部１１から水素が放出するのをより効果的に抑制することができる。 
【００２７】
アルミ箔２１の大きさとしては、容器本体１の口部１１を封止することができるよう、口部１１の外径よりも大きい外径を有していれば、特に制限されるものではないが、密封性を考慮し、口部１１の外側壁の垂直部分に接着するスカート部２１１の長さが２〜３ｍｍ程度であることが好ましい。また、アルミ箔２１の厚さとしては、容器本体１の口部１１を封止することができれば特に制限されるものではないが、破れにくく、かつ剥がしやすいことを考慮し、０．１ｍｍ程度であることが好ましい。なお、アルミ箔２１には、つまんで剥がしやすくするために、取っ手となるタブ部分を設けてもよい。アルミ箔２１としては、例えば公知の粘着シール付きのフタ材を好適に使用することができる。 
【００２８】
［アウターキャップ］
アウターキャップ３は、図１及び図２に示すように、全体として有底円筒形状を有し、容器本体１の口部１１を螺合により封止可能であって、天板部３１と天板部３１の周縁から垂下した筒状部３２とを有する。アウターキャップ３としては、例えばポリオレフィン樹脂又はポリスチレン樹脂等の樹脂により成形されたものや、アルミニウム又はアルミニウム合金等の金属板から加工されたものが使用できるが、水素保持性が高いことから、アルミ素材によるものが好ましい。本実施形態のアウターキャップ３は、図２に示すように、天板部３１の内側周辺に設けられたライナー材４を備えている。 
【００２９】
［ライナー材］
「ライナー材」とは、容器本体１の口部１１の端縁部に嵌合させるべく、アウターキャップ３の天板部３１内側周辺に施される柔軟性を有する部材を意味し、通常、合成樹脂が用いられる。ライナー材用の合成樹脂としては、例えばオレフィン樹脂、塩化ビニル樹脂等が使用できるが、ガスバリア性や耐熱性等の観点から、オレフィン樹脂と他のエラストマーとの混合樹脂が好ましい。 
【００３０】
容器本体１に内容物を収容し、インナーキャップ２としてのアルミ箔２１を容器本体１の口部１１に冠着した後、容器本体１の口部１１にアウターキャップ３を装着する際、アウターキャップ３の天板部３１内側周辺にライナー材４を接着させることにより、アウターキャップ３内でライナー材４が容器本体１の口部１１上端の形状に沿って型押し成型される。これにより、ライナー材４には、容器本体１の口部１１の端縁部に嵌合する外側壁４１ａと内側壁４１ｂとを有する嵌合溝４１が形成される。この柔軟性を有する嵌合溝４１の外側壁４１ａ及び内側壁４１ｂの垂直部分と、これに嵌合する容器本体１０の口部１１（インナーキャップ２としてのアルミ箔２１が冠着された口部１１）の上端とが嵌合することで、容器本体１内が密封状態となり、容器１０が得られる。 
【００３１】
ライナー材４の大きさとしては、形成される嵌合溝４１に口部１１の端縁部が嵌合するよう、口部１１の外径よりやや大きい外径を有していればよい。
【００３２】
ライナー材４の嵌合溝４１は、外側壁４１ａの方が内側壁４１ｂより高くなるよう形成されていることが好ましい。外側壁４１ａの方が内側壁４１ｂより高く形成されている場合には、容器本体１の口部１１の端縁部に沿って冠着されたインナーキャップ２としてのアルミ箔２１が、ライナー材４の外側壁４１ａによって口部１１の端縁部の径方向内側方向に押し付けられるので、容器本体１に対するアルミ箔２１の密封性もさらに向上するからである。 
【００３３】
〔容器の密閉方法〕
次に、上述した実施形態の容器１０の密閉方法について説明する。上述した実施形態の容器１０の密閉方法としては、容器本体１の口部１１を封止することができれば特に制限されるものではないが、一般的には、巻締機を用いて、内容物を収容した容器本体１にアウターキャップ３を巻き締めることで密封する方法が採用されている。
【００３４】
巻締機を用いた場合の具体的な巻き締め方法は以下の通りである。まず、あらかじめ口部１１に螺合溝１１１が形成された容器本体１に内容物を収容し、インナーキャップ２としてのアルミ箔２１を容器本体１の口部１１に冠着する。次に、この状態の容器本体１を巻締機にセットし、容器本体１の口部１１の螺合溝１１１に合わせて、ライナー材４を施したアウターキャップ３の筒状部３２に螺合溝３２１を形成して巻き締める。このとき、アウターキャップ３の天板部３１内側周辺にライナー材４を接着させることにより、アウターキャップ３内でライナー材４が容器本体１の口部１１上端の形状に沿って型押し成型されるとともに、ライナー材４に形成される嵌合溝４１の外側壁４１ａの垂直部分によって、ライナー材４が容器本体１の口部１１（インナーキャップ２としてのアルミ箔２１が冠着された口部１１）の上端に嵌合する。
【００３５】
なお、このようにして容器本体１に巻き締められるキャップ２は、ＲＯＰＰ（Ｒｏｌｌ  Ｏｎ  Ｐｉｌｆｅｒ  Ｐｒｏｏｆ）と呼ばれる。 
【００３６】
以上、本発明について図面を参照にして説明してきたが、本発明は上記実施形態に限定されず、種々の変更実施が可能である。例えば、上記実施形態では、内容物として、水素水等の水素を含有する内容物を対象としているが、本発明に係る容器は、水素より分子サイズの大きい、例えば二酸化炭素を含有する内容物（炭酸水）にも適用が可能である。
【実施例】
【００３７】
以下、実施例に基づき本発明をさらに詳説するが、本発明は以下の実施例に限定されるものではない。
【００３８】
〔水素保持性の評価１〕
図１に示す容器１０を用いて、水素保持性の評価試験を行った。条件は以下の通りである。
〈容器〉
容器本体：３８Φボトル缶  ３００ｍｌ（ユニバーサル製罐社製）
アウターキャップ：
・３８ΦＤＰ２（ライナーの内側壁の方が外側壁より高い；日本クロージャー社製） 
・３８Φフラット（ライナーなし；日本クロージャー社製）
インナーキャップ：アルミテープＳ（アルミ箔；ニトムズ社製）
〈水素測定法〉
ニードル型水素濃度測定機（ユニセンス社製）を用いた。
〈装置条件等〉
収容する水素水は、水に水素を溶解させることにより製造した。製造した水素水をボトル缶に収容し、液体窒素（ＬＮ２）を充填した後、容器本体の口部にアルミ箔を貼り付け、アウターキャップの巻き締めを行った。なお、ボトル缶内の圧力は不明であり、後殺菌は行わなかった。 
【００３９】
実施例１は、ライナーの内側壁の方が外側壁より高いアウターキャップ（ＤＰ２）とアルミ箔とを併用した場合、実施例２は、ライナーを施さないアウターキャップ（フラット）とアルミ箔とを併用した場合、比較例１は、ライナーの内側壁の方が外側壁より高いアウターキャップ（ＤＰ２）のみを用いてアルミ箔を用いなかった場合である。
【００４０】
実施例１、２及び比較例１について、製造後２カ月経過後（２５℃）までの水素濃度及び、製造後６日後から製造後２カ月経過後（２５℃）までの水素残存率を表１に示す。なお、表１及び表２において「ヘッドスペース」とは、ボトル缶をアウターキャップ等で密閉した後、加熱や冷却によりボトル缶本体が膨張したり収縮したりするのを防ぐためにボトル缶の上側に設けられる空間を意味する。
【００４１】
【表１】
2020117304.tif 000003
【００４２】
〔結果〕
製造後６日後から製造後２カ月経過後（２５℃）までの水素残存率は、アルミ箔を貼り付け方が高く、特に、ライナーの内側壁の方が外側壁より高いアウターキャップ（ＤＰ２）を用いた方が高かった。
【００４３】
〔水素保持性の評価２〕
ライナー付きのアウターキャップとして、ＤＰ３Ａ（ライナーの外側壁の方が内側壁より高い）を用いた以外は、上記水素保持性の評価１と同様の条件で水素保持性の評価試験を行った。 
【００４４】
実施例１は、ライナーの外側壁の方が内側壁より高いアウターキャップ（ＤＰ３Ａ）とアルミ箔とを併用した場合、実施例２は、ライナーを施さないアウターキャップ（フラット）とアルミ箔とを併用した場合、比較例１は、ライナーの外側壁の方が内側壁より高いキャップ（ＤＰ３Ａ）のみを用いてアルミ箔を用いなかった場合である。
【００４５】
実施例１、２及び比較例１について、製造後２カ月経過後（２５℃及び４５℃）までの水素濃度及び、製造後７日後から製造後２カ月経過後（２５℃及び４５℃）までの水素残存率を表２に示す。
【００４６】
【表２】
2020117304.tif 000004
【００４７】
〔結果〕
製造後７日後から製造後２カ月経過後（２５℃及び４５℃）までの水素残存率は、アルミ箔を貼り付け方が高く、特に、ライナーの外側壁の方が内側壁より高いアウターキャップ（ＤＰ３Ａ）を用いた方が高かった。 
【００４８】
また、表２に記載の実施例１、実施例２及び比較例１について、容器本体をアルミ層を含むパウチ容器に変更した以外は同様の条件で、実施例３、実施例４及び比較例２を製造した。上記試験と同様に製造２ヵ月後の水素保持性を評価した結果、実施例３及び実施例４は、比較例２よりも高い水素保持性が確認された。
【００４９】
さらに参考として、市販品の水素水Ａ（ＰＥＴ容器、奥長良川名水社製）及び水素水Ｂ（ＰＥＴ容器、日田天領水社製）を上記試験と同様に水素保持性を評価した結果、どちらも賞味期限内の水素濃度は０ｐｐｍであり、水素保持性は確認されなかった。
【００５０】
以上説明したように、本発明の容器によれば、容器本体の口部をインナーキャップで封止し、インナーキャップが冠着された口部をさらにアウターキャップでも螺合により封止しているので、容器本体の口部から水素が放出するのを抑制することができる。
【符号の説明】
【００５１】
容器  １０
容器本体  １
口部  １１
螺合溝  １１１
インナーキャップ  ２
アルミ箔  ２１
スカート部  ２１１
アウターキャップ  ３
天板部  ３１
筒状部  ３２
螺合溝３２１
ライナー材  ４
嵌合溝  ４１
外側壁  ４１ａ
内側壁  ４１ｂ
【図１】
2020117304.tif 000005
【図２】
2020117304.tif 000006